(57)【要約】【課題】構造の複雑化及びコストアップを抑えつつ外装部材の落下防止を図る。【解決手段】照明器具１は、開口部を有する箱形に形成され、開口部に対向させるように光源を収容する器具本体２と、器具本体２における開口部の周囲に取り付けられる枠４とを備える。照明器具１は、器具本体２に対して枠４を固定するための１つ以上の固定ねじと、器具本体２に対する枠４の落下を防止するための落下防止機構６とを備える。落下防止機構６は、器具本体２の表面から突出し、枠４を貫通する貫通孔４２に挿通される第３ボス６０及び雄ねじ部品６１と、雄ねじ部品６１の先端部分から貫通孔４２の径方向に突出する座金６１１とを有している。座金６１１の外径は貫通孔４２の最も狭い箇所（短径）の内径よりも大きい。【選択図】        図４
2019087473.tif 000002
【特許請求の範囲】
【請求項１】
開口部を有する箱形に形成され、前記開口部に対向させるように光源を収容する器具本体と、
前記器具本体における前記開口部の周囲に取り付けられる外装部材と、
前記器具本体に対して前記外装部材を固定するための１つ以上の固定ねじと、
前記器具本体に対する前記外装部材の落下を防止するための落下防止機構と
を備え、
前記落下防止機構は、
前記器具本体の表面から突出し、前記外装部材を貫通する貫通孔に挿通される突部と、
前記突部の先端部分から前記貫通孔の径方向に突出する外鍔部と
を有し、
前記外鍔部の外径は前記貫通孔の最も狭い箇所の内径よりも大きい
ことを特徴とする照明器具。
【請求項２】
前記突部は、
筒状に形成されて前記器具本体の表面から突出し、内部に雌ねじが設けられているボスと、
前記雌ねじとはめ合わされる雄ねじ及び前記外鍔部を備えた雄ねじ部品と
を有する
ことを特徴とする請求項１記載の照明器具。
【請求項３】
前記ボスは前記貫通孔に挿通されている
ことを特徴とする請求項２記載の照明器具。
【請求項４】
前記雄ねじ部品の円筒部が前記貫通孔に挿通されている
ことを特徴とする請求項２記載の照明器具。
【請求項５】
前記突部は、前記ボスと前記雄ねじ部品の頭部との間に配置されるスペーサを有し、
前記スペーサが前記貫通孔に挿通されている
ことを特徴とする請求項２記載の照明器具。
【請求項６】
前記雄ねじ部品は、前記外鍔部に相当する座金を有する
ことを特徴とする請求項２〜５のいずれか１項に記載の照明器具。
【請求項７】
前記突部が突出する方向から見た前記貫通孔の形状が長円形であり、
前記外鍔部の外径は前記貫通孔の短径よりも大きい
ことを特徴とする請求項１〜６のいずれか１項に記載の照明器具。
【請求項８】
透光性を有する板材で形成されて前記開口部を塞ぐ透光パネルを備え、
前記外装部材は、枠状に形成されて前記透光パネルの周縁を覆うように前記器具本体に取り付けられている
ことを特徴とする請求項１〜７のいずれか１項に記載の照明器具。
【請求項９】
前記透光パネルが前記器具本体に固定されている
ことを特徴とする請求項８記載の照明器具。
【請求項１０】
前記透光パネルは、前記器具本体における前記開口部の周囲の部分と前記外装部材とに挟まれるようにして前記器具本体に取り付けられている
ことを特徴とする請求項８記載の照明器具。
【発明の詳細な説明】
【技術分野】
【０００１】
本発明は、照明器具に関し、より詳細には、外装部材を備える照明器具に関する。
【背景技術】
【０００２】
従来例として特許文献１記載の照明装置を例示する。特許文献１記載の照明装置（照明器具）は、ポールの上端部に取り付けられて街路を照明するための街路灯などに用いられる。特許文献１記載の照明装置（以下、従来例と呼ぶ。）は、ＬＥＤ発光モジュールを光源とする発光装置と、発光装置を内部に収容する照明装置本体とを備えている。照明装置本体は、下部が開口した箱状に形成されている。照明装置本体の下部には、一対のヒンジを介して開閉蓋が取り付けられている。すなわち、照明装置本体の下部の開口は、開閉蓋によって開閉可能に閉じられる。開閉蓋のヒンジが取り付けられている先端部分と反対側の後端部分が複数の止めねじによって照明装置本体にねじ止めされている。開閉蓋は、投光用の矩形開口と、当該矩形開口を塞ぐ前面ガラスとを具備している。発光装置の発する光は、前面ガラスを透過して照明装置の下方等へ照射される。
【先行技術文献】
【特許文献】
【０００３】
【特許文献１】特開２０１２−３８８２２号公報
【発明の概要】
【発明が解決しようとする課題】
【０００４】
ところで、上記従来例では、開閉蓋が一対のヒンジを介して照明装置本体に取り付けられているので、止めねじが抜け落ちても開閉蓋が落下することはない。しかしながら、開閉蓋がヒンジを介さずに止めねじのみで照明装置本体に固定される構造の場合、止めねじが照明装置本体から抜け落ちることによって、最終的に開閉蓋（外装部材）が照明装置本体（器具本体）から外れて落下するおそれがある。そこで、ヒンジが用いられない構造の照明装置（照明器具）においては、外装部材と器具本体とが落下防止用のワイヤで繋がれる場合が多い。しかしながら、外装部材と器具本体とが落下防止用のワイヤで繋がれる構造においては、外装部材と器具本体のそれぞれにワイヤを固定する構造、並びに器具本体内にワイヤを収容する空間が必要となる。その結果、外装部材及び器具本体の構造の複雑化並びにコストアップを招くという問題がある。
【０００５】
本発明の目的は、構造の複雑化及びコストアップを抑えつつ外装部材の落下防止を図ることが可能な照明器具を提供することである。
【課題を解決するための手段】
【０００６】
本発明の一態様に係る照明器具は、開口部を有する箱形に形成され、前記開口部に対向させるように光源を収容する器具本体と、前記器具本体における前記開口部の周囲に取り付けられる外装部材とを備えている。前記照明器具は、前記器具本体に対して前記外装部材を固定するための１つ以上の固定ねじと、前記器具本体に対する前記外装部材の落下を防止するための落下防止機構とを備えている。前記落下防止機構は、前記器具本体の表面から突出し、前記外装部材を貫通する貫通孔に挿通される突部と、前記突部の先端部分から前記貫通孔の径方向に突出する外鍔部とを有している。前記外鍔部の外径は前記貫通孔の最も狭い箇所の内径よりも大きい。
【発明の効果】
【０００７】
本発明の照明器具は、構造の複雑化及びコストアップを抑えつつ外装部材の落下防止を図ることが可能になるという効果がある。
【図面の簡単な説明】
【０００８】
【図１】図１は、本発明の一態様に係る照明器具の斜視図である。
【図２】図２は、同上の照明器具の分解斜視図である。
【図３】図３は、同上の照明器具における通常状態の落下防止機構の断面図である。
【図４】図４は、同上の照明器具における落下防止状態の落下防止機構の断面図である。
【図５】図５は、同上の照明器具の落下防止状態の斜視図である。
【図６】図６は、同上の照明器具の落下防止状態の斜視図である。
【図７】図７は、同上の照明器具の落下防止状態における落下防止機構の斜視図である。
【図８】図８Ａは、同上の照明器具の変形例１における落下防止機構の断面図である。図８Ｂは、同上の照明器具の変形例２における落下防止機構の断面図である。図８Ｃは、同上の照明器具の変形例３における落下防止機構の断面図である。
【発明を実施するための形態】
【０００９】
以下、本発明の一態様に係る照明器具の実施形態について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１０】
本実施形態の照明器具１は、道路に沿って配置される照明用ポール（照明柱）などに取り付けられる道路照明器具又は街路照明器具である。照明器具１は、図１及び図２に示すように、開口部を有する箱形に形成され、開口部に対向させるようにＬＥＤユニット３を収容する器具本体２と、器具本体２における開口部の周囲に取り付けられる外装部材（枠４）とを備えている。照明器具１は、器具本体２に対して枠４を固定するための１つ以上の固定ねじ５と、器具本体２に対する枠４の落下を防止する落下防止機構６とを更に備えている。照明器具１は、透光性を有して器具本体２の開口部を塞ぐ透光パネル１０と、器具本体２の開口部と透光パネル１０の隙間を密封するシール部材１１とを更に備えている。なお、以下の説明においては、特に断りのない限り、図２において照明器具１の前後、上下、左右の各方向を規定する。
【００１１】
ＬＥＤユニット３は、ＬＥＤモジュール３０と、２つのレンズブロック３１と、取付プレート３２とを有している（図２参照）。ＬＥＤモジュール３０は、多数のＬＥＤ（図示せず）が前後左右にマトリクス状に並べて実装されている実装基板３００と、実装基板３００の実装面（下面）における前端部分に実装されている一対のコネクタ３０１とを有している。各ＬＥＤ（Light Emitting Diode）は、例えば、照明用白色ＬＥＤであり、実装基板３００の実装面に形成されている配線導体（配線用の銅はく）を介して互いに電気的に接続されている。各コネクタ３０１は、配線導体を介して各ＬＥＤと電気的に接続されている。また、各コネクタ３０１は、電線３０２を介して、後述する電源装置と電気的に接続されている。
【００１２】
各レンズブロック３１は、矩形板状の基板３１１と、基板３１１の表面（下面）に前後左右にマトリクス状に並べて配置された多数のレンズ３１０とを有している。基板３１１と多数のレンズ３１０とは、ポリカーボネート樹脂のような透光性を有する合成樹脂材料によって一体に形成されている。各レンズブロック３１は、複数のレンズ３１０の各々を、対応する１つのＬＥＤと対向させるようにして、実装基板３００の下面に取り付けられる。すなわち、各レンズ３１０は、それぞれ１つのＬＥＤと対向する位置に配置され、ＬＥＤから放射される光を左右方向に拡げるように配光する。ただし、各レンズ３１０の配光は一例である。各レンズ３１０は、ＬＥＤから放射される光を左右方向以外の方向（例えば、前後方向）などに配光するように構成されてもかまわない。
【００１３】
取付プレート３２は、熱伝導度が比較的に高い材料、例えば、アルミ板のような金属板によって長方形状に形成されている。取付プレート３２の下面に実装基板３００がねじ止めされて取り付けられる。取付プレート３２の下面と実装基板３００の上面とが接触している。つまり、複数のＬＥＤの発する熱が実装基板３００から取付プレート３２に伝導される。
【００１４】
器具本体２は、第１収容部２１と第２収容部２２とを有している。第１収容部２１と第２収容部２２は、アルミダイカストによって一体に形成されている。第１収容部２１は、前方の上面を曲面形状とした箱形に形成されている。第１収容部２１の下面の一部が開口している。第１収容部２１には、電源装置、端子台などが収容される。
【００１５】
第２収容部２２は、下面に開口部を有した矩形の箱状に形成されている。第２収容部２２は、第１収容部２１の下面の開口した一部を囲むように第１収容部２１と一体に形成されている。第２収容部２２の外壁２３の内側に、第１収容部２１の開口を囲む内壁２４が設けられている（図２参照）。第２収容部２２の内壁２４の内側にＬＥＤユニット３が収容される。ＬＥＤユニット３は、第２収容部２２の底面（上面）に露出している、第１収容部２１の開口の大部分を塞ぐように第２収容部２２の底面に取付プレート３２がねじ止めされる。ＬＥＤユニット３の２つのコネクタ３０１の各々と接続される２本の電線３０２は、取付プレート３２に塞がれない第１収容部２１の開口の一部を通して第１収容部２１に配線される。これら２本の電線３０２は、第１収容部２１に収容されている電源装置と電気的に接続される。
【００１６】
電源装置は、端子台を介して外部の電源（例えば、商用の電力系統）と電気的に接続される。電源装置は、外部の電源から供給される交流電力を直流電力に変換する電力変換回路（スイッチング電源回路）を有している。電源装置は、変換後の直流電力を２本の電線３０２並びに一対のコネクタ３０１を介してＬＥＤユニット３に供給してＬＥＤユニット３を発光させる。
【００１７】
ここで、第２収容部２２において、外壁２３と内壁２４の間には、外壁２３及び内壁２４の全周にわたって間隙２５が形成されている。間隙２５には、複数の第１ボス２５１が配置されている（図２及び図３参照）。また、内壁２４の内側に複数の第２ボス２５２が配置されている。
【００１８】
複数（図示例では６つ）の第１ボス２５１は、円筒状に形成され、内部に雌ねじ部２５１０を有している。６つの第１ボス２５１は、前後の間隙２５における左右方向の中央の１箇所と、左右の間隙２５における前後方向の中央と前後両端の間の２箇所とにそれぞれ１つずつ設けられている（図２参照）。
【００１９】
複数（図示例で４つ）の第２ボス２５２は、円筒状に形成され、内部に雌ねじ部２５２０を有している。４つの第２ボス２５２は、内壁２４の内側における第１ボス２５１の左右両隣の２箇所と、内壁２４の内側における前方の第１ボス２５１の前隣の２箇所とにそれぞれ１つずつ設けられている（図２参照）。ただし、内壁２４の一部（４つの第２ボス２５２の周辺部分）は、間隙２５の方へ突出する半円筒形状に形成されている。
【００２０】
透光パネル１０は、矩形平板状のガラス板で構成されている。透光パネル１０の周縁にシール部材１１が取り付けられている。シール部材１１は、例えば、合成ゴムによって長方形の枠状に形成されている。シール部材１１の内周面には全周に渡る１つの溝１１０が形成されている。シール部材１１は、透光パネル１０の周縁部分を溝１１０にはめ込むようにして透光パネル１０の周縁に取り付けられている（図３参照）。また、シール部材１１は、４つの固定片１１１を有している（図２参照）。４つの固定片１１１は、シール部材１１の後端における左右方向の中央の２箇所と、左右の両端における前方の２箇所とにそれぞれ１つずつ設けられている（図２参照）。各固定片１１１は、上下方向から見て山型に形成されている。各固定片１１１には、円筒形の固定穴１１２が設けられている。固定穴１１２は、上下方向に沿って固定片１１１を貫通している。
【００２１】
４つの固定片１１１の各々の固定穴１１２に第２ボス２５２が１つずつ挿通されている。そして、固定穴１１２に挿通された第２ボス２５２の雌ねじ部２５２０に取付ねじ２６がねじ込まれている。取付ねじ２６の頭部の直径が固定穴１１２の内径よりも大きいので、取付ねじ２６の頭部によって固定片１１１が第２ボス２５２に対して抜け止めされる。その結果、透光パネル１０及びシール部材１１が４本の取付ねじ２６によって器具本体２に取り付けられる（図２参照）。
【００２２】
枠４は、中央に矩形の窓４００を有した矩形の枠本体４０と、枠本体４０の周縁から全周にわたって上向きに突出する周壁４１とを有している。なお、枠本体４０と周壁４１はアルミダイカストによって一体に形成されている。枠本体４０は、複数（図示例では６つ）のねじ挿通孔４３と、１つの貫通孔４２と、複数（図示例では４つ）の逃がし部４４とを有している。６つのねじ挿通孔４３は、前後の枠本体４０における左右方向の中央の１箇所と、左右の枠本体４０における前後方向の中央と前後両端の間の２箇所とにそれぞれ１つずつ設けられている（図２参照）。貫通孔４２は、前方の枠本体４０の右端に設けられている。なお、上下方向から見た貫通孔４２の形状は長円形である（図２参照）。４つの逃がし部４４は、枠本体４０の上面から下面に向かって突出する半球殻状に形成されている。
【００２３】
枠４は、周壁４１の内側に透光パネル１０とシール部材１１を収め、かつ、第２収容部２２の間隙２５に周壁４１を挿入するようにして、器具本体２に装着される（図１及び図３参照）。さらに、枠本体４０の６つのねじ挿通孔４３のそれぞれに固定ねじ５が１本ずつ挿通され、これら６本の固定ねじ５の各々が、６つの第１ボス２５１のうちの対応する第１ボス２５１の雌ねじ部２５１０に１本ずつねじ込まれる。つまり、枠４は、６本の固定ねじ５によって器具本体２に固定される。なお、枠本体４０と器具本体２の内壁２４との間にシール部材１１が挟み込まれることにより、枠４と透光パネル１０と器具本体２の内壁２４の間の隙間がシール部材１１でシールされる（図３参照）。また、枠本体４０の各逃がし部４４内に４本の取付ねじ２６の頭部がそれぞれ収められ、枠本体４０が各取付ねじ２６の頭部と干渉することを回避している。
【００２４】
器具本体２の後端（第１収容部２１の後端）から取付具１２が突出している（図１参照）。取付具１２は、直線形照明用ポールのアームに器具本体２を取り付けるためのアダプタである。取付具１２は、アルミダイカストによって有底円筒形に形成され、直線形照明用ポールのアームを内部に収めるように構成される。また、取付具１２の周面には固定用のボルト１２０が複数本（図示例では４本）取り付けられている。つまり、これらのボルト１２０が締め込まれることにより、アームに対して取付具１２が抜け止めされ、アームに器具本体２が取り付けられる。
【００２５】
落下防止機構６は、全ての固定ねじ５が第１ボス２５１の雌ねじ部２５１０から脱落した場合に器具本体２から枠４が落下するのを防止するように構成されている。以下、落下防止機構６の具体的な構成を説明する。
【００２６】
落下防止機構６は、器具本体２の表面から突出し、枠４を貫通する貫通孔４２に挿通される突部と、突部の先端部分から貫通孔４２の径方向に突出する外鍔部とを有している。突部は、筒状に形成されて器具本体２の表面から突出し、内部に雌ねじ６００が設けられているボス（第３ボス６０）と、雌ねじ６００とはめ合わされる雄ねじ６１０及び外鍔部を備えた雄ねじ部品６１と有している。
【００２７】
第３ボス６０は、器具本体２における第２収容部２２の間隙２５に設けられている。第３ボス６０は、第２収容部２２の間隙２５における前方の右端に設けられている。なお、第３ボス６０の先端は、器具本体２の表面（第２収容部２２の外壁２３及び内壁２４の下端面）よりも下に突出している（図３参照）。また、第３ボス６０の外径は、長円形の貫通孔４２の短径（短軸の内径）よりも小さい（図３参照）。
【００２８】
雄ねじ部品６１は、雄ねじ６１０と、頭部６１２と、雄ねじ６１０と頭部６１２の間に組み込まれた座金６１１とを有している。座金６１１の直径は頭部６１２の直径、及び枠４の貫通孔４２の短径よりも大きい。なお、座金６１１が外鍔部に相当する。
【００２９】
雄ねじ部品６１は、枠４が器具本体２に取り付けられた後、枠４の貫通孔４２に挿通された第３ボス６０の雌ねじ６００に雄ねじ６１０がはめ合わされることによって、第３ボス６０に固定される。ここで、第３ボス６０の先端が第２収容部２２の外壁２３及び内壁２４の下端面よりも下に突出しているので、雄ねじ部品６１の座金６１１と第２収容部２２の外壁２３及び内壁２４の下端面との間に隙間が生じている（図３参照）。つまり、固定ねじ５によって枠４が器具本体２に固定されている状態（通常状態）においては、雄ねじ部品６１の雄ねじ６１０には軸方向（上下方向）の応力が生じない。一方、固定ねじ５には枠４と器具本体２からの反発力によって軸方向の応力が生じる。
【００３０】
ここで、車両が通行することで照明器具１が振動すると、各固定ねじ５には、固定ねじ５の軸方向に対して垂直な方向（前後方向及び左右方向）に繰り返し力が加わることによって緩みが生じる。また、照明器具１の振動によって各固定ねじ５の軸方向の荷重が増減することによっても各固定ねじ５に緩みが生じる。そして、緩んだ固定ねじ５が再度締め直されなければ、やがて全ての固定ねじ５が第１ボス２５１の雌ねじ部２５１０から脱落する可能性がある。
【００３１】
これに対して第３ボス６０の雌ねじ６００にはめ合わされている雄ねじ部品６１は、枠４に接触しておらず、軸方向の応力が生じていないため、固定ねじ５に比べて照明器具１の振動による緩みが生じにくい。
【００３２】
全ての固定ねじ５が第１ボス２５１の雌ねじ部２５１０から脱落した場合、重力によって枠４が下向きに移動するが、落下防止機構６によって枠４の落下が防止される。つまり、落下防止機構６は、枠本体４０における貫通孔４２の周辺部分を、外鍔部（雄ねじ部品６１の座金６１１）に引っ掛けることにより、枠４を支持して枠４の落下を防いでいる（図４〜図７参照）。このように照明器具１は、枠４と器具本体２をワイヤで繋ぐことなく、落下防止機構６によって器具本体２に対する枠４の落下を防止することができる。したがって、照明器具１は、枠４と器具本体２を落下防止用のワイヤで繋ぐための構造が不要であるから、構造の複雑化及びコストアップを抑えつつ外装部材（枠４）の落下防止を図ることが可能となる。
【００３３】
さらに、本実施形態の照明器具１では、落下防止機構６の突部（雄ねじ部品６１と第３ボス６０）と外鍔部（座金６１１）が器具本体２の１箇所にだけ設けられている。そのため、枠４は、器具本体２（の第２収容部２２）に対して傾いた状態で落下防止機構６に支持される（図４〜図７参照）。ゆえに、全ての固定ねじ５が外れて枠４が器具本体２に対して傾くことにより、照明器具１に異常が発生していることを人（歩行者、車両の運転手及び道路管理者等）に知らせることができる。ここで、枠本体４０の貫通孔４２が長円形に形成されているので、貫通孔４２が円形である場合と比較して、貫通孔４２の長径の分だけ器具本体２に対する枠４の傾き角を大きくすることができる。その結果、照明器具１に異常が発生していることをより確実に人に知らせることができる。なお、落下防止機構６の突部と外鍔部は、器具本体２に２カ所以上設けられてもかまわない。ただし、突部と外鍔部が器具本体２に２カ所以上設けられる場合、器具本体２に対して枠４を傾けた状態で支持可能な場所に突部と外鍔部が設けられることが好ましい。例えば、第２収容部２２の前方の間隙２５内における２カ所以上に突部と外鍔部が設けられてもよいし、第２収容部２２の後方、左方及び右方のいずれかの間隙２５内における２カ所以上に突部と外鍔部が設けられてもよい。
【００３４】
また、照明器具１では、突部は、筒状に形成されて器具本体２の表面から突出し、内部に雌ねじ６００が設けられている第３ボス６０と、雌ねじ６００とはめ合わされる雄ねじ６１０及び外鍔部（座金６１１）を備えた雄ねじ部品６１とを有している。このように第３ボス６０の雌ねじ６００に雄ねじ部品６１の雄ねじ６１０がはめ合わされることで突部が構成されることにより、突部の構成の簡素化及び突部を設けるためのコストアップを抑えることができる。
【００３５】
ここで、本実施形態の照明器具１では、第３ボス６０が貫通孔４２に挿通され、第３ボス６０によって座金６１１の位置を規制している（図３参照）。これに対して、図８Ａに示すように、本実施形態の変形例１の照明器具１では、雄ねじ部品６１をいわゆる段付ねじとしている。段付ねじは、円筒部６１３の直径が雄ねじ６１０の呼び径よりも大きい雄ねじ部品である。変形例１の照明器具１においては、第３ボス６０の代わりに雄ねじ部品６１の円筒部６１３が枠本体４０の貫通孔４２に挿通され、円筒部６１３によって座金６１１の位置を規制している（図８Ａ参照）。変形例１の照明器具１では、第３ボス６０の直径に比べて円筒部６１３の直径が小さくできるので、枠本体４０の貫通孔４２の内径の縮小化を図ることができる。そして、貫通孔４２の内径が縮小化できれば、枠本体４０において貫通孔４２を設けることのできる場所並びに貫通孔４２の個数などの設計の自由度を高めることができる。
【００３６】
また、本実施形態の変形例２の照明器具１では、図８Ｂに示すように、落下防止機構６の突部が第３ボス６０とスペーサ６２とを有している。スペーサ６２は、金属材料によって円筒形に形成されている。スペーサ６２には雄ねじ部品６１の雄ねじ６１０が挿通される。そして、雄ねじ部品６１の雄ねじ６１０が第３ボス６０の雌ねじ６００とはめ合わされた状態では、枠本体４０の貫通孔４２にスペーサ６２が挿通され、第３ボス６０と頭部６１２の間にスペーサ６２が挟み込まれる。つまり、変形例２の照明器具１においては、第３ボス６０の代わりにスペーサ６２が枠本体４０の貫通孔４２に挿通され、スペーサ６２によって座金６１１の位置を規制している（図８Ｂ参照）。変形例２の照明器具１では、第３ボス６０の直径に比べてスペーサ６２の直径が小さくできるので、枠本体４０の貫通孔４２の内径の縮小化を図ることができる。そして、貫通孔４２の内径が縮小化できれば、枠本体４０において貫通孔４２を設けることのできる場所並びに貫通孔４２の個数などの設計の自由度を高めることができる。
【００３７】
さらに、本実施形態の変形例３の照明器具１では、図８Ｃに示すように、枠本体４０に凹部４５が設けられ、凹部４５の底に貫通孔４２が形成されている。凹部４５は、深さ方向（上下方向）から見て円形状に形成されている。また、凹部４５の深さ（枠本体４０の下面から凹部４５の底面までの最短距離）及び内径は、雄ねじ部品６１の頭部６１２を収容することが可能な大きさである。つまり、変形例３の照明器具１は、雄ねじ部品６１の頭部６１２を凹部４５内に収容させて枠本体４０の表面（下面）から突出させないように構成されている。その結果、変形例３の照明器具１は、落下防止機構６を目立ちにくくして外観の見栄えの向上を図ることができる。
【００３８】
ところで、本実施形態の照明器具１では、透光パネル１０が器具本体２に固定（ねじ止め）されている。ただし、透光パネル１０は、器具本体２における開口部の周囲の部分と枠４とに挟まれるようにして器具本体２に取り付けられてもかまわない。透光パネル１０が器具本体２に固定されている場合、落下防止機構６は枠４のみを支持すればよい。一方、透光パネル１０が枠４と器具本体２とに挟まれている場合、落下防止機構６は枠４と透光パネル１０（シール部材１１を含む）とを支持しなければならない。透光パネル１０が器具本体２に固定されている場合、照明器具１は、落下防止機構６の必要な強度（雄ねじ部品６１の機械的強度、並びに雄ねじ部品６１と第３ボス６０の雌ねじ６００とのはめ合いにおける耐荷重など）を低くすることができる。透光パネル１０が枠４に支持されている場合、照明器具１は、メンテナンス作業の際に透光パネル１０を枠４と一緒に器具本体２から取り外すことができてメンテナンス作業の作業性の向上を図ることができる。
【００３９】
上述のように本発明の第１の態様に係る照明器具（１）は、開口部を有する箱形に形成され、開口部に対向させるように光源（ＬＥＤユニット３）を収容する器具本体（２）と、器具本体（２）における開口部の周囲に取り付けられる外装部材（枠４）とを備える。第１の態様に係る照明器具（１）は、器具本体（２）に対して外装部材を固定するための１つ以上の固定ねじ（５）と、器具本体（２）に対する外装部材の落下を防止するための落下防止機構（６）とを備える。落下防止機構（６）は、器具本体（２）の表面から突出し、外装部材を貫通する貫通孔（４２）に挿通される突部（第３ボス６０及び雄ねじ部品６１）と、突部の先端部分から貫通孔（４２）の径方向に突出する外鍔部（座金６１１）とを有している。外鍔部の外径は貫通孔（４２）の最も狭い箇所の内径よりも大きい。
【００４０】
第１の態様に係る照明器具（１）は、１つ以上の固定ねじ（５）がすべて外れた場合に落下防止機構（６）によって外装部材（枠４）の落下を防止することにより、外装部材と器具本体（２）を落下防止用のワイヤで繋ぐための構造が不要となる。その結果、第１の態様に係る照明器具（１）は、落下防止用のワイヤで繋ぐための構造を設ける場合と比較して、構造の複雑化及びコストアップを抑えつつ外装部材（枠４）の落下防止を図ることが可能となる。
【００４１】
本発明の第２の態様に係る照明器具（１）は、第１の態様との組合せにより実現され得る。第２の態様に係る照明器具（１）において、突部は、筒状に形成されて器具本体（２）の表面から突出し、内部に雌ねじ（６００）が設けられているボス（第３ボス６０）を有することが好ましい。突部は、雌ねじ（６００）とはめ合わされる雄ねじ（６１０）及び外鍔部を備えた雄ねじ部品（６１）を有することが好ましい。
【００４２】
第２の態様に係る照明器具（１）は、ボスの雌ねじ（６００）にはめ合わされた雄ねじ部品（６１）とボスとで突部を構成することができる。その結果、第２の態様に係る照明器具（１）は、突部の構造の簡素化を図ることができる。
【００４３】
本発明の第３の態様に係る照明器具（１）は、第２の態様との組合せにより実現され得る。第３の態様に係る照明器具（１）において、ボスは貫通孔（４２）に挿通されていることが好ましい。
【００４４】
第３の態様に係る照明器具（１）は、貫通孔（４２）に挿通されたボスによって外鍔部の位置を規制しており、外鍔部として座金などの安価な部品を使用することができる。その結果、第３の態様に係る照明器具（１）は、突部のコストダウンを図ることができる。
【００４５】
本発明の第４の態様に係る照明器具（１）は、第２の態様との組合せにより実現され得る。第４の態様に係る照明器具（１）において、雄ねじ部品（６１）の円筒部（６１３）が貫通孔（４２）に挿通されていることが好ましい。
【００４６】
第４の態様に係る照明器具（１）は、貫通孔（４２）に挿通された円筒部（６１３）によって外鍔部の位置を規制しており、ボスによって外鍔部の位置を規制する場合と比較して、貫通孔（４２）の内径の縮小化を図ることができる。第４の態様に係る照明器具（１）は、貫通孔（４２）の内径を縮小化することにより、外装部材において貫通孔（４２）を設けることのできる場所並びに貫通孔（４２）の個数などの設計の自由度を高めることができる。
【００４７】
本発明の第５の態様に係る照明器具（１）は、第２の態様との組合せにより実現され得る。第５の態様に係る照明器具（１）において、突部は、ボスと雄ねじ部品（６１）の頭部（６１２）との間に配置されるスペーサ（６２）を有することが好ましい。スペーサ（６２）が貫通孔（４２）に挿通されていることが好ましい。
【００４８】
第５の態様に係る照明器具（１）は、貫通孔（４２）に挿通されたスペーサ（６２）によって外鍔部の位置を規制しており、ボスによって外鍔部の位置を規制する場合と比較して、貫通孔（４２）の内径の縮小化を図ることができる。第５の態様に係る照明器具（１）は、貫通孔（４２）の内径を縮小化することにより、外装部材において貫通孔（４２）を設けることのできる場所並びに貫通孔（４２）の個数などの設計の自由度を高めることができる。
【００４９】
本発明の第６の態様に係る照明器具（１）は、第２〜第５の態様のいずれか１つとの組合せにより実現され得る。第５の態様に係る照明器具（１）において、雄ねじ部品（６１）は、外鍔部に相当する座金（６１１）を有することが好ましい。
【００５０】
第６の態様に係る照明器具（１）は、雄ねじ部品（６１）が有する座金（６１１）を外鍔部に利用することにより、外鍔部の構成を簡略化して落下防止機構（６）のコストダウンを図ることができる。
【００５１】
本発明の第７の態様に係る照明器具（１）は、第１〜第６の態様のいずれか１つとの組合せにより実現され得る。第７の態様に係る照明器具（１）において、突部が突出する方向から見た貫通孔（４２）の形状が長円形であることが好ましい。外鍔部の外径は貫通孔（４２）の短径よりも大きいことが好ましい。
【００５２】
第７の態様に係る照明器具（１）は、貫通孔（４２）が長円形であるので、貫通孔（４２）が円形である場合と比較して、落下防止機構（６）によって支持される外装部材の器具本体（２）に対する傾き角を、長円形の長径の分だけ増やすことができる。その結果、第７の態様に係る照明器具（１）は、固定ねじ（５）が外れて外装部材が落下防止機構（６）に支持されている異常な状態が発生していることを人に知らせることができる。
【００５３】
本発明の第８の態様に係る照明器具（１）は、第１〜第７の態様のいずれか１つとの組合せにより実現され得る。第８の態様に係る照明器具（１）において、透光性を有する板材で形成されて開口部を塞ぐ透光パネル（１０）を備えることが好ましい。外装部材は、枠状に形成されて透光パネル（１０）の周縁を覆うように器具本体（２）に取り付けられていることが好ましい。
【００５４】
第８の態様に係る照明器具（１）は、透光パネル（１０）の周縁を枠状の外装部材で覆うことにより、透光パネル（１０）を保護することができる。
【００５５】
本発明の第９の態様に係る照明器具（１）は、第８の態様との組合せにより実現され得る。第９の態様に係る照明器具（１）において、透光パネル（１０）が器具本体（２）に固定されていることが好ましい。
【００５６】
第９の態様に係る照明器具（１）は、透光パネル（１０）が器具本体（２）に固定されているので、落下防止機構（６）の必要な強度を低くすることができる。
【００５７】
本発明の第１０の態様に係る照明器具（１）は、第８の態様との組合せにより実現され得る。第８の態様に係る照明器具（１）において、透光パネル（１０）は、器具本体（２）における開口部の周囲の部分と外装部材とに挟まれるようにして器具本体（２）に取り付けられていることが好ましい。
【００５８】
第１０の態様に係る照明器具（１）は、透光パネル（１０）が外装部材に支持されているので、メンテナンス作業の際に透光パネル（１０）を外装部材と一緒に器具本体（２）から取り外すことができてメンテナンス作業の作業性の向上を図ることができる。
【符号の説明】
【００５９】
１  照明器具
２  器具本体
３  ＬＥＤユニット（光源）
４  枠（外装部材）
５  固定ねじ
６  落下防止機構
１０  透光パネル
４２  貫通孔
６０  第３ボス（突部；ボス）
６１  雄ねじ部品（突部）
６２  スペーサ
６００  雌ねじ
６１０  雄ねじ
６１１  座金（外鍔部）
６１３  円筒部
【図１】
2019087473.tif 000003
【図２】
2019087473.tif 000004
【図３】
2019087473.tif 000005
【図４】
2019087473.tif 000006
【図５】
2019087473.tif 000007
【図６】
2019087473.tif 000008
【図７】
2019087473.tif 000009
【図８】
2019087473.tif 000010